(57)【要約】【課題】ユニットバス等の浴室ユニットに関し、床パンの裏側に集水された水を建物排水管に向けて効果的に排水する排水構造に係るもので、床下フトコロ高さが少ない場合でも排水性能を高めた浴室ユニットの排水構造を提供する。【解決手段】浴室ユニットの浴槽側排水口に備えられた第１排水器具と、洗い場側排水口に備えられた第２排水器具間を、床下フトコロで連結管にて連結し、第２排水器具より主排水管を経て建物排水管へ送る浴室ユニット排水構造であって、第１排水器具と第２排水器具を結ぶ連結管を複数本併設したことを特徴とする浴室ユニット排水構造。２５‥第１排水器具、２５ａ、２５ｂ、２５ｃ‥第１排水器具の連結口、２６‥第２排水器具、２６Ａ‥第２排水器具の主排水管を接続する連結口、２６ａ、２６ｂ、２６ｃ‥第２排水器具の連結口、２９ａ、２９ｂ、２９ｃ‥連結管、３１‥主排水管。【選択図】図２
2004132172.tif 000002
【特許請求の範囲】
【請求項１】
　浴室ユニットの浴槽側排水口に備えられた第１排水器具と、洗い場側排水口に備えられた第２排水器具間を、床下フトコロで連結管にて連結し、第２排水器具より主排水管を経て建物排水管へ送る浴室ユニット排水構造であって、第１排水器具と第２排水器具を結ぶ連結管を複数本併設したことを特徴とする浴室ユニット排水構造。
【請求項２】
　各排水器具に予め複数の連結口を備えた請求項１記載の浴室ユニット排水構造。
　
【発明の詳細な説明】
【技術分野】
【０００１】
　本発明はユニットバス等の浴室ユニットに関し、特に、床パンの裏側に集水された水を建物排水管に向けて効果的に排水する排水構造に係るものである。
【背景技術】
【０００２】
　従来の浴室ユニット等の排水は、洗い場側からの排水管と浴槽からの排水管を併置しこれを合併継手に導いて合体接続して主排水管とし、建物排水管へ送る構造となっている。しかるに、近年に至りバリアフリー低床タイプの浴室ユニットが広く採用されるところとなり、排水構造も新たな構造のものとする必要が生じてきた。即ち、浴室跨ぎ高さ及び床下フトコロ高さの制限により、床下フトコロ（床パンの裏側）で浴槽側及び洗い場側の排水口を連結管にて直列に接続し、建物排水管へ送る排水器具の連結構造が採用されるようになった。
【０００３】
　この種の排水構造としては、例えば、特許文献１に示す構造があるが、図５に例示するように、浴槽１の下方にバスタブ防水パン２を配設し、バスタブ防水パン２の排水開口部３にエルボ４を接続し、このエルボ４に連結管５を接続し、この連結管５を排水トラップ６に接続してある。この排水トラップ６は洗い場７の排水部８に設けてある。また、浴槽１の排水孔に連結管９、エルボ１０を接続してエルボ４に接続してある。符号１１は高さ調節のできる支持ボルト、１２は床スラブ、１３は排水トラップ６から伸びる主排水管である。
【０００４】
　この従来の排水構造にあって、床下フトコロ高さを低くすることが特に要請されているところから、支持ボルト１１の背丈をできるだけ低くすることが行われている。このため、連結管５の管径を太く取ることが難しく、口径が小さいものが採用されている。このため、流量は比較的小さく、特に浴槽１内の水の排水に時間がかかっている。又、口径を小さくすれば、それだけ目詰まりを起こすことも考えられ、漏水の危険性は高まることになる。
【０００５】
　この課題を解決するために、連結管５の断面積を拡大する目的で，楕円形若しくは扁平状にした連結管を用いることが提案されてはいるが、合成樹脂製の連結管にあっては樹脂成形時の歪等により連結部の止水性に疑念が残されている。又、排水器具に対して連結部の形状等が特殊なものとなるため、コスト高が予想されると共に、建物排水に方向性が生じるという問題も残る。勿論、一本の排水管であるために目詰まりを起こす可能性も指摘されると共に、逆に排水量を規制するような機能は併せ持っていない。
【０００６】
【特許文献１】特開２００２−１２９６１８号公報
【発明の開示】
【発明が解決しようとする課題】
【０００７】
　本発明は以上のような従来の技術課題を解決するためになされたものであり、床下フトコロ高さが少ない場合でも排水性能を高め、目詰まりのない、場合によっては排水量を規制（流量調節）できる浴室ユニットの排水構造を提供することを目的としている。
【課題を解決するための手段】
【０００８】
　本発明の要旨は、浴室ユニットの浴槽側排水口に備えられた第１排水器具と、洗い場側排水口に備えられた第２排水器具間を、床下フトコロで連結管にて連結し、第２排水器具より主排水管を経て建物排水管へ送る浴室ユニット排水構造であって、第１排水器具と第２排水器具を結ぶ連結管を複数本併設したことを特徴とする浴室ユニット排水構造であって、各排水器具に予め複数の連結口を備えたものが好ましい。
【発明の効果】
【０００９】
　本発明の効果は以下の通りである。
　（ａ）床フトコロが少ない場合にあっても排水管の設置は可能であること。
　（ｂ）主排水管の方向が変更可能となったものであること。
　（ｃ）目詰まりによる排水不能がなくなること。
　（ｄ）流量の調整が可能となったこと。
　（ｅ）排水機能を常時失うことなくメンテナンス可能となったこと。
【発明を実施するための最良の形態】
【００１０】
　本発明は上記したように排水器具間に複数の連結管を併設し、一方の排水器具（通常は第２排水器具）に建物排水管に送る主排水管が接続されたことが最も特徴的である。即ち、排水器具間には余り口径の太い連結管は構造的に採用できないため、排水の際に比較的長時間を要することとなっていたが、本発明の浴室ユニット排水構造にあっては排水器具間に複数の連結管を併設したものであって、このため、一つ一つの連結管の口径が小さいものであっても排水機能は大きな効果をもたらすこととなったものである。
【００１１】
　かかる構造を効果的になすため、各排水口に連結される排水器具にあっては、予め複数の連結口を備えておくのが好ましく、例えば夫々９０度の角度をもって複数の連結口を持つ排水器具が用いられる。
【００１２】
　この複数の連結口を採用することによって複数の連結管を繋ぐことができることは勿論、建物排水管に接続する主排水管の方向性も自由に配置できるという特徴がある。
【００１３】
　勿論、複数の連絡管を用いることにより目詰まりのために漏水現象を起こすようなこともなく、場合によっては排水量の調整も可能であり、例えば、床に取り外し可能な小さなパネル部分を取り付けておき、床下の連結部分の作業ができるようにすることが可能である。かかる流量の調整にあっては、浴槽排水が洗い場側排水器具への流れ込み量を調節するものであるため、複数接続された連結管の浴槽側の入口において、浴室内の排水器具上から、連結管の口径を小さくするリング、開口面積を小さくするメッシュ、閉鎖してしまう蓋等の流量調節部材を嵌め込むようにすればよい。更に言えば、これらの構成を総合すれば、メンテナンス時にあっても、排水機能を持たせつつ修理・点検が可能となったものである。
【００１４】
　排水器具は鉄製のものもあるが、コスト的には合成樹脂製のものがよい。また、連結管も鉄等の金属製のものが用いられるが、場合によってはこれも合成樹脂製のものでもよく、柔軟性のある例えばポリブテンパイプも用いられ得る。このような柔軟性のある連結管の場合には、排水器具の間隔をそれほど気にせずに施工することが可能となる。
【実施例】
【００１５】
　以下、本発明の具体例を実施例をもって更に詳細に説明する。図１は本発明の浴室ユニット排水構造側断面概念図であり、図２は主要部のみを取り出した上面図である。図中、符号２１は図示しない浴室ユニットの浴槽の下側に設置されるバスタブ防水パン、２２は洗い場側の防水パンである。２３は浴槽側排水口、２４は防水パン側の排水口である。浴槽用排水口２３には第１排水器具２５が装着され、防水パン側排水口２４には第２排水器具２６が装着されている。この第２排水器具２６には防臭パイプ２７が垂下設置されている。又、符号２８にて示すものはヘアキャッチャ−である。
【００１６】
　さて、第１排水器具２５は夫々９０度の角度をもって３っつの連結口２５ａ、２５ｂ、２５ｃが備えられ、第２排水器具２６には夫々９０度の角度をもって３っつの連結口２６ａ、２６ｂ、２６ｃと、主排水管を接続する連結口２６Ａを備えている。そして、この例では連結口２５ｂと連結口２６ｂとが連結管２９ａによって、又、連結口２５ａと連結口２６ｃとが連結管２９ｂによって連結され、第１及び第２排水器具２５、２６器具間に２つの連結管２９ａ、２９ｂを併設したものである。尚、連結管と連結口間の接続は任意の手段でよいことは勿論である。そして、この例にあっては、第１排水器具２５側の連結口２５ｃ及び第２排水器具２６側の連結口２６ａはキャップ３０ａ、３０ｂを螺合して閉鎖することになる。
【００１７】
　そして、第２排水器具２６の連結口２６Ａに図示しない建物排水管に送る主排水管３１が接続されたものである。かかる主排水管３１は床下フトコロの低い個所（例えば防水パンの裏側）以外の個所に配設されるのが普通であり、前記した連結管２９ａや２９ｂよりも口径の太い管を採用するものである。ここで示した浴室ユニット排水構造は、第１排水器具２５と第２排水器具２６とが横に並べられ、しかも主排水管３１がこれまた横方向に伸びる構造のものである。尚、連結管（特に２９ａ）にあっては、第１排水器具２５又は第２排水器具２６の連結口を直接繋いでもよいことは勿論である。
【００１８】
　この発明において、第１排水器具２５と第２排水器具２６の間を２っの連結管にて繋いだものであり、このことによって各連結管が例え管径が細いものであっても排水時に各連結管内を排水が流れることによって排水時間は短時間にて済むという特徴がある。
【００１９】
　図３は本発明の別例を示す、図２と同様の上面図であり、この例では第１排水器具２５における連結口２５ｃと第２排水器具２６における連結口２６ａとを連結管２９ｃによって連結されたものである。図より分かるように、この例では３本の連結管２９ａ、２９ｂ、２９ｃが並列に設置されたものであり、用いられる連結管が多くなればそれだけ連結管の口径の小さいものが用いられ得ることとなる。
【００２０】
　図４は本発明の更に別例を示す図２と同様の上面図であり、この例では主排水管３１の向きを９０度変えるために配置されたものであり、第２排水器具２６を時計回りに９０度回転させたものである。即ち、連結管２９ａは２５ｂと２６ａ間を、連結管２９ｂは２５ａと２６ｂ間を連結したものである。このため、主排水管３１は今までの実施例とは異なり、時計回りに９０度回転した方向に向きを変えることになり、図示しない建物排水管が前記例とは異なる方向にあっても適用できることとなったものである。
【００２１】
　このように、複数の連絡管を採用することによって、目詰まりによる漏水現象はなくなり、常に排水機能を備えることができたものであり、又、図示はしないが、連絡管２９ａ〜２９ｂに調整弁を備えることによって、流量の調節が可能となり、更には、メンテナンス時にも全体の排水を止めることなく部分部分の修理・点検ができることとなったものである。
【産業上の利用可能性】
【００２２】
　以上の通り、本発明にあっては、床フトコロが少ない場合にあっても排水管の設置は十分に可能であり、しかも主排水管の方向も変更可能となったもので、目詰まりによる排水不能がなくなり、更に、流量の調整やメンテナンス上で必要な機能を付加されるものであり、更に又、他のトラップの封水切れ防止、排水音の低減等も備わり、その実用性は極めて高い。
【図面の簡単な説明】
【００２３】
【図１】図１は本発明の浴室ユニット排水構造の側断面概念図である。
【図２】図２は図１の主要部のみを取り出した上面図である。
【図３】図３は本発明の別例を示す図２と同様の上面図である。
【図４】図４は本発明の更に別例を示す図２と同様の上面図である。
【図５】図５は従来の排水構造の一例を示す側断面概念図である。
【符号の説明】
【００２４】
　２１‥バスタブ防水パン、
　２２‥洗い場側防水パン、
　２３‥浴槽側排水口、
　２４‥防水パン側排水口、
　２５‥第１排水器具、
　２５ａ、２５ｂ、２５ｃ‥第１排水器具の連結口、
　２６‥第２排水器具、
　２６Ａ‥第２排水器具の主排水管を接続する連結口、
　２６ａ、２６ｂ、２６ｃ‥第２排水器具の連結口、
　２９ａ、２９ｂ、２９ｃ‥連結管、
　３１‥主排水管。
　　　　　　　　　　　　　　　　　　　　　　　　　　　　　　　　　　　　　　　　
【図１】
2004132172.tif 000003
【図２】
2004132172.tif 000004
【図３】
2004132172.tif 000005
【図４】
2004132172.tif 000006
【図５】
2004132172.tif 000007